(57)【要約】【課題】制御基板ケースの開封を確実に検知するとともに、制御基板の不正改造を阻止すること。【解決手段】遊技機における制御全般を決定する主要部となる制御基板が収納された制御基板ケース１において、前記基板ケース１内には、文字および数字の同じものが少なくとも２個付されるとともに、紫外線その外の光の照射により異なった色に変色する樹脂部材２を複数並べて収納される樹脂部材の収納部３が形成され、前記制御基板ケース１が開けられると、前記樹脂部材の収納部３において並べて収納された複数の前記樹脂部材２が制御基板ケース１内に散乱するように構成されている制御基板ケース。【選択図】図１
2008104749.tif 000002
【特許請求の範囲】
【請求項１】
遊技機における制御を決定する主要部となる制御基板が収納された制御基板ケースにおいて、
前記基板ケース内には、紫外線その外の光の照射により異なった色に変色する樹脂部材が複数並べて収納される樹脂部材の収納部が形成され、
前記制御基板ケースが開けられると、前記樹脂部材の収納部において並べて収納された複数の前記樹脂部材が制御基板ケース内に散乱するように構成されている
ことを特徴とする制御基板ケース。
【請求項２】
遊技機における制御を決定する主要部となる制御基板が収納された制御基板ケースにおいて、
前記基板ケース内には、文字、数字、記号、模様、色等のそれぞれ同じ刻印がされているものに対し、紫外線その外の光の照射によって別の色に変色する樹脂部材を複数並べて収納される樹脂部材の収納部が形成され、
前記制御基板ケースが開けられると、前記樹脂部材の収納部において並べて収納された複数の前記樹脂部材が制御基板ケース内に散乱するように構成されている
ことを特徴とする制御基板ケース。
【請求項３】
請求項１または請求項２において、
前記樹脂部材の収納部が、前記制御基板ケースが開けられた時に最初に開く部分に形成されている
ことを特徴とする制御基板ケース。
【請求項４】
請求項３において、
前記樹脂部材の収納部が、前記制御基板に係る主要部品に対して距離的に離れた前記制御基板ケース内の位置に形成されている
ことを特徴とする制御基板ケース。
【請求項５】
請求項３において、
前記樹脂部材の収納部の一部が、前記制御基板ケースが開けられる時に移動する開閉部材の一部によって構成されている
ことを特徴とする制御基板ケース。
【発明の詳細な説明】
【技術分野】
【０００１】
本発明は、遊技機における制御を決定する主要部となる制御基板が収納された制御基板ケースに関するものである。
【背景技術】
【０００２】
従来の遊技機においては、遊技機における制御を決定する主要部となる制御基板に対して改造等の不正がなされないようにするために、制御基板を収納した制御基板ケースに封止を施すことにより、制御基板ケースが開封された時には、その痕跡を残して、前記制御基板ケースが開けられたことが発見できるように工夫がされていた。
【発明の開示】
【発明が解決しようとする課題】
【０００３】
しかしながら、近年では封止機構を痕跡が残らないように開封されるようになり、前記制御基板ケースが開けられたことが発見できないため、制御基板の不正改造を阻止することが出来ないという問題点があった。
【０００４】
そこで本発明者は、制御基板ケースが開けられると、樹脂部材の収納部から複数の樹脂部材が制御基板ケース内に散乱し、散乱した複数の樹脂部材を前記樹脂部材の収納部に再び戻された場合、前記樹脂部材の収納部に戻された各樹脂部材に対して紫外線その外の光を照射することにより、各樹脂部材の変色した色が、前記制御基板ケースが開けられる前の状態と一致するかどうかを判定することによって、前記制御基板ケースの開封を検知する本願発明の基本的な技術的思想に着眼した。
【０００５】
さらに本発明者は、上述の着眼した基本的な技術的思想に基づき、研究開発を重ねた結果、封止機構に痕跡が残らないように制御基板ケースが開封されたとしても、前記制御基板ケースの開封を確実に検知するとともに、制御基板の不正改造を阻止するという目的を達成する本発明に到達した。
【課題を解決するための手段】
【０００６】
本発明（請求項１に記載の第１発明）の制御基板ケースは、
遊技機における制御を決定する主要部となる制御基板が収納された制御基板ケースにおいて、
前記基板ケース内には、紫外線その外の光の照射により異なった色に変色する樹脂部材が複数並べて収納される樹脂部材の収納部が形成され、
前記制御基板ケースが開けられると、前記樹脂部材の収納部において並べて収納された複数の前記樹脂部材が制御基板ケース内に散乱するように構成されている
ものである。
【０００７】
本発明（請求項２に記載の第２発明）の制御基板ケースは、
遊技機における制御を決定する主要部となる制御基板が収納された制御基板ケースにおいて、
前記基板ケース内には、文字、数字、記号、模様、色等のそれぞれ同じ刻印がされているものに対し、紫外線その外の光の照射によって別の色に変色する樹脂部材を複数並べて収納される樹脂部材の収納部が形成され、
前記制御基板ケースが開けられると、前記樹脂部材の収納部において並べて収納された複数の前記樹脂部材が制御基板ケース内に散乱するように構成されている
ものである。
【０００８】
本発明（請求項３に記載の第３発明）の制御基板ケースは、
前記第１発明または第２発明において、
前記樹脂部材の収納部が、前記制御基板ケースが開けられた時に最初に開く部分に形成されている
ものである。
【０００９】
本発明（請求項４に記載の第４発明）の制御基板ケースは、
前記第３発明において、
前記樹脂部材の収納部が、前記制御基板に係る主要部品に対して距離的に離れた前記制御基板ケース内の位置に形成されている
ものである。
【００１０】
本発明（請求項５に記載の第５発明）の制御基板ケースは、
前記第３発明において、
前記樹脂部材の収納部の一部が、前記制御基板ケースが開けられる時に移動する開閉部材の一部によって構成されている
ものである。
【発明の効果】
【００１１】
上記構成より成る第１発明の制御基板ケースは、遊技機における制御を決定する主要部となる制御基板が収納された制御基板ケースにおいて、前記基板ケース内には、紫外線その外の光の照射により異なった色に変色する樹脂部材が複数並べて収納される樹脂部材の収納部が形成されているので、前記制御基板ケースが開けられると、前記樹脂部材の収納部において並べて収納された複数の前記樹脂部材が制御基板ケース内に散乱するので、散乱した複数の樹脂部材を前記樹脂部材の収納部に再び戻されたとしても、前記樹脂部材の収納部に戻された各樹脂部材に対して紫外線その他の光を照射することにより、各樹脂部材の変色した色が、前記制御基板ケースが開けられる前の状態と一致するかどうかを判定するため、前記制御基板ケースの開封を確実に検知するとともに、制御基板の不正改造を阻止するという効果を奏する。
【００１２】
上記構成より成る第２発明の制御基板ケースは、遊技機における制御を決定する主要部となる制御基板が収納された制御基板ケースにおいて、前記基板ケース内には、文字、数字、記号、模様、色等のそれぞれ同じ刻印がされているものに対し、紫外線その外の光の照射によって別の色に変色する樹脂部材を複数並べて収納される樹脂部材の収納部が形成されているので、前記制御基板ケースが開けられると、前記樹脂部材の収納部において並べて収納された複数の前記樹脂部材が制御基板ケース内に散乱するので、散乱した複数の樹脂部材を前記樹脂部材の収納部に再び戻されたとしても、前記樹脂部材の収納部に戻された各樹脂部材に対して、紫外線その他の光を照射することにより、各樹脂部材の変色した色と文字、数字、記号、模様、色等の刻印との対応関係が、前記制御基板ケースが開けられる前の状態と一致するかどうかを判定するため、前記制御基板ケースの開封を一層確実に検知するとともに、制御基板の不正改造を阻止するという効果を奏する。
【００１３】
上記構成より成る第３発明の制御基板ケースは、前記第１発明または第２発明において、前記樹脂部材の収納部が、前記制御基板ケースが開けられた時に最初に開く部分に形成されているので、前記制御基板ケースが少しでも開けられると、前記樹脂部材が確実に落下して制御基板ケース内に散乱させることが出来るという効果を奏する。
【００１４】
上記構成より成る第４発明の制御基板ケースは、前記第３発明において、前記樹脂部材の収納部が、前記制御基板に係る主要部品に対して距離的に離れた前記制御基板ケース内の位置に形成されているので、前記制御基板に係る主要部品（主にＲＯＭ）が紫外線、赤外線等の照射の影響を回避することが出来るため、前記主要部分（ＲＯＭ）を守ることができるという効果を奏する。
【００１５】
上記構成より成る第５発明の制御基板ケースは、前記第３発明において、前記樹脂部材の収納部の一部が、前記制御基板ケースが開けられる時に移動する開閉部材の一部によって構成されているので、前記制御基板ケースが開けられると前記樹脂部材の収納部の一部を構成する前記開閉部材の一部が移動するため、前記樹脂部材の収納部の一部が開いて、前記樹脂部材の落下、散乱を確実に実現するという効果を奏する。
【発明を実施するための最良の形態】
【００１６】
以下本発明の最良の実施の形態につき実施例に基づき、図面を用いて説明する。
【実施例１】
【００１７】
本第１実施例の制御基板ケースは、図１ないし図１１に示されるように遊技機における制御全般を決定する主要部となる制御基板（図示せず）が収納された制御基板ケース１において、前記基板ケース１内には、文字および数字の同じ刻印が少なくとも２個付されるとともに、紫外線その外の光の照射によって別の色に変色する樹脂部材２を複数並べて収納される樹脂部材の収納部３が形成され、前記制御基板ケース１が開けられると、前記樹脂部材の収納部３において並べて収納された複数の前記樹脂部材２が制御基板ケース１内に散乱するように構成されているものである。
【００１８】
前記制御基板ケース１は、図３に示されるように遊技機の裏面の下部に垂直に配設されている。
【００１９】
前記複数の樹脂部材は、例えばアルファベット文字の刻印を付した３個の樹脂ボールと、および数字の刻印を付した４個の樹脂ボールとから成り、アルファベット文字の刻印を付した３個の樹脂ボールは、Ｋの文字の刻印を付した２個の樹脂ボールとＳの文字の刻印を付した１個の樹脂ボールとから成り、数字の刻印を付した４個の樹脂ボールは、１の数字の刻印を付した２個の樹脂ボールと７の数字の刻印を付した２個の樹脂ボールとから成る。
【００２０】
前記樹脂部材の収納部３は、図１、図６、図８に示されるように前記制御基板ケース１が開けられた時に最初に開く部分に相当する前記制御基板ケース１の一部とスライド部材４の一部によって構成される。
【００２１】
前記樹脂部材の収納部３を構成する前記制御基板ケース１の一部は、前記制御基板ケース１内において、前記制御基板に係る主要部品の配設位置に対して距離的に離れた位置に形成されている水平部材３０の垂直下方に突出した垂直部３１と、該垂直部３１の先端に水平方向に一定間隔で平行に突設された２個の水平部３２と、前記２個の水平部３２の幅方向の両端より水平方向に突設された後述する仮係止部材５を係止するとともに、前記スライド部材４のスライドを規制するための４個の矩形部材３３とから成る。
【００２２】
前記垂直部３１は、前記スライド部材４のスライド方向および上下方向に延在する一定間隔を隔てて対向する平行な一対の対向壁３１１、３１２の間を連結するように配設されているものである。
【００２３】
４個の矩形部材３３の間には、図６に示されるように予め矩形の仮係止部材５が介挿され、複数の前記樹脂部材２としての樹脂ボールの下部を係止するとともに、前記制御基板ケース１には、複数の前記樹脂部材２としての樹脂ボールの前記スライド部材４のスライド方向の動きを規制する規制部３４が一対の対向壁３１１、３１２の間を連結するように形成されている。
【００２４】
スライド部材４は、前記制御基板ケース１の一部を構成する前記水平部材３０に対して一定距離隔てて配設された対向水平部３０１に対して平行にスライド自在に配設された水平部材４０と、該水平部材４０の垂直上方に突出した垂直部４１と、該垂直部４１の先端に水平方向に一定間隔で平行に前記２個の水平部３２に接近する方向に突設された長さの異なる２個の水平部４２１、４２２とから成る。
【００２５】
前記スライド部材４の下方の前記水平部４２１は、装着状態を示す図１に示されるように前記制御基板ケース１の前記２個の水平部３２に接近する方向にスライドすると、前記制御基板ケース１の上下２個の前記水平部３２の先端に設けられた４個の矩形部材３３の間に介挿されるような位置関係になるように構成されている。
【００２６】
前記スライド部材４の上方の前記水平部４２２は、図１に示されるように前記制御基板ケース１の前記２個の水平部３２に接近する方向にスライドすると、前記水平部４２１の上面に載置された複数の前記樹脂部材２としての樹脂ボールの上面を係止して、樹脂ボールが上方から抜け出すことがないように構成されている。
【００２７】
上記構成より成る本第１実施例の制御基板ケースは、前記樹脂部材２としての樹脂ボールの組み付けについて、図６、図７、図１０を用いて説明する。
【００２８】
図６および図７に示されるように前記スライド部材４は図中の右端の後退位置にあるため、前記樹脂部材の収納部３を構成する４個の矩形部材３３の間に予め介挿された矩形の仮係止部材５の上に、複数の前記樹脂部材２としての７個の樹脂ボールが並設される。
【００２９】
前記７個の樹脂ボールは、通常は白い色であるが、図１０に示されるように例えば図１０中一番上の位置にはＫのアルファベット文字が刻印され、紫外線を照射すると赤に変色する樹脂ボールを配置し、次の位置にはＳのアルファベット文字が刻印され、紫外線を照射すると紫に変色する樹脂ボールを配置し、その次の位置にはＫのアルファベット文字が刻印され、紫外線を照射すると青に変色する樹脂ボールを配置し、その次の位置には１の数字が刻印され、紫外線を照射すると黄に変色する樹脂ボールを配置し、その次の位置には７の数字が刻印され、紫外線を照射すると赤に変色する樹脂ボールを配置し、その次の位置には１の数字が刻印され、紫外線を照射すると青に変色する樹脂ボールを配置し、その次の位置には７の数字が刻印され、紫外線を照射すると紫に変色する樹脂ボールをそれぞれ配置する。
【００３０】
その後、前記スライド部材４は後退位置から図中左方にスライドさせると、前記スライド部材４の下方の前記水平部４２１は、図１に示されるように前記制御基板ケース１の前記２個の水平部３２に接近する方向にスライドして、前記制御基板ケース１の上下２個の前記水平部３２の先端に設けられた４個の矩形部材３３の間に介挿されるとともに、前記４個の矩形部材３３の間に介挿されていた前記仮係止部材５を図中左方に移動させ、前記２個の水平部３２内に介挿される。
【００３１】
前記２個の水平部３２内に介挿された前記仮係止部材５は、上方の水平部３２の下面に楔状のストッパーが形成されているため、前記４個の矩形部材３３の間に侵入することはない。
【００３２】
前記スライド部材４の下方の前記水平部４２１が、図１に示されるように前記制御基板ケース１の上下２個の前記水平部３２の先端に設けられた４個の矩形部材３３の間に介挿されるので、前記仮係止部材５に代わり樹脂ボールの下面を支持するとともに、前記スライド部材４の上方の前記水平部４２２が、前記水平部４２１の上面に載置された複数の前記樹脂部材２としての樹脂ボールの上面を係止して、前記樹脂ボールが上方から抜け出すことがないようにしている。
【００３３】
上述の状態で、本第１実施例の制御基板ケースにおいて前記スライド部材４が封止された後、前記スライド部材４が開封されると、図８に示されるように前記スライド部材４が図中右方の後退位置に移動するので、前記仮係止部材５が前記２個の水平部３２内に介挿された状態であるため、前記７個の樹脂ボールが、前記制御基板ケース１内に自然落下する。
【００３４】
前記制御基板ケース１内に自然落下した前記７個の樹脂ボールを、装着時のアルファベット文字および数字の刻印の配列順（Ｋ、Ｓ、Ｋ、１、７、１、７）に従い戻して、再び前記スライド部材４が封止したとしても、図１１に示されるように戻された樹脂ボールに紫外線を照射すると、例えば図１１中一番上の位置のＫのアルファベット文字が刻印された樹脂ボールに紫外線を照射すると青に変色し、次の位置のＳのアルファベット文字が刻印された樹脂ボールに紫外線を照射すると紫に変色し、その次の位置のＫのアルファベット文字が刻印された樹脂ボールに紫外線を照射すると赤に変色し、その次の位置の１の数字が刻印され樹脂ボールに紫外線を照射すると青に変色し、その次の位置の７の数字が刻印された樹脂ボールに紫外線を照射すると紫に変色し、その次の位置の１の数字が刻印された樹脂ボールに紫外線を照射すると黄に変色し、その次の位置の７の数字が刻印された樹脂ボールに紫外線を照射すると赤に変色する。
【００３５】
したがって本第１実施例の制御基板ケースにおいては、再封止された後の各樹脂ボールに対して、紫外線を照射した時の変色する色パターンの違いから、前記スライド部材４の開封および再封止を確実に検出することが出来る。
【００３６】
上記作用を奏する本第１実施例の制御基板ケースは、前記制御基板ケース１が開けられると、前記樹脂部材の収納部において並べて収納された複数の前記樹脂部材としての樹脂ボールが前記制御基板ケース１内に散乱するので、散乱した複数の樹脂ボールが前記樹脂部材の収納部３に再び戻されたとしても、前記樹脂部材の収納部３に戻された各樹脂ボールに対して、紫外線を照射することにより、各樹脂部材の変色した色と文字および数字の刻印との対応関係が、前記制御基板ケースが開けられる前の状態と一致するかどうかを判定するため、前記制御基板ケースの開封を一層確実に検知するとともに、制御基板の不正改造を阻止するという効果を奏する。
【００３７】
また本第１実施例の制御基板ケースは、前記樹脂部材の収納部３が、前記制御基板ケース１が開けられた時に最初に開く部分に形成されているので、前記制御基板ケース１が少しでも開けられると、前記樹脂部材としての樹脂ボールが確実に落下して制御基板ケース１内に散乱させることが出来るという効果を奏する。
【００３８】
さらに本第１実施例の制御基板ケースは、前記樹脂部材の収納部３が、前記制御基板に係る主要部品に対して距離的に離れた前記制御基板ケース内の位置に形成されているので、前記制御基板に不正改造が加えられたら、前記制御基板ケース１の開封を一層確実に検知するという効果を奏するとともに、前記主要部品すなわち主にＲＯＭが紫外線の照射の影響を回避することが出来るため、前記主要部品（ＲＯＭ）を守ることが出来るという効果を奏する。
【００３９】
また本第１実施例の制御基板ケースは、前記樹脂部材の収納部３の一部が、前記制御基板ケースが開けられる時に移動する開閉部材の一部によって構成されているので、前記制御基板ケースが開けられると前記樹脂部材の収納部の一部を構成する前記開閉部材の一部が移動するため、前記樹脂部材の収納部の一部が開くことにより、前記樹脂部材の落下、散乱を確実に実現するという効果を奏する。
【００４０】
上述の第１実施例の制御基板ケースにおいては、各樹脂ボールの樹脂部品が、通常は白いが紫外線の照射によってそれぞれ異なる色に変色するようになっており（所定時間が経過することにより元の白色に戻る）、さらに各部品に対して異なるアルプァベット文字および数字等の刻印を施しておき、この樹脂部品を基板ケースに収める時に予め並び順を設定しておくため、樹脂部品の刻印により、制御基板ケースを不正に開放しようとするときに刻印の順番に目をいかせるようにする。
【００４１】
制御基板ケースが開封されると、制御基板ケース１の前記樹脂部材の収納部３内に収めておいた樹脂部品としての樹脂ボールがケース内に散乱するので、再度ケーシングをするときに、樹脂部材としての樹脂ボールを初期設定どおりのアルプァベット文字および数字の配置で並べる。
【００４２】
ところが、前記樹脂部材の収納部３に戻された各樹脂ボールに対して、紫外線を照射することにより、各樹脂部材としての樹脂ボールの変色した色と文字および数字の刻印との対応関係が、前記制御基板ケースが開けられる前の状態と一致するかどうかを判定するため、前記制御基板ケースの開封を一層確実に検知するとともに、制御基板の不正改造を阻止することが出来るのである。
【００４３】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００４４】
上述の第１実施例においては、一例として樹脂部材としての樹脂ボールにアルファベット文字および数字等の刻印を施す例について説明したが、本発明としてはそれらに限定されるものでは無く、例えば文字のみ施す実施形態、数字のみ施す実施形態、記号または模様を施す実施形態を採用することができ、文字、数字、記号、模様等を印刷、塗布する実施形態を採用することが出来るとともに、球形の樹脂ボールの代わりに立方体、直方体、多面体等の形の異なる樹脂部材を並べる実施形態を採用することが出来るものである。
【００４５】
また上述の第１実施例においては樹脂部品である樹脂ボールに対して一例として紫外線を照射する例について記載してあるが、本発明としてはそれらに限定されるものでは無く、例えば赤外線、ブラックライトその他の照射方法を利用する実施形態を採用することが出来る。
【産業上の利用可能性】
【００４６】
遊技機における制御全般を決定する主要部となる制御基板が収納された制御基板ケースにおいて、前記基板ケース内には、文字および数字の同じものが少なくとも２個付されるとともに、紫外線その外の光の照射により異なった色に変色する樹脂部材を複数並べて収納される樹脂部材の収納部が形成され、前記制御基板ケースが開けられると、前記樹脂部材の収納部において並べて収納された複数の前記樹脂部材が制御基板ケース内に散乱するように構成され、前記制御基板ケースの開封を確実に検知するとともに、制御基板の不正改造を阻止する用途にも適用できる。
【図面の簡単な説明】
【００４７】
【図１】本発明の第１実施例の制御基板ケースの装着時の要部を示す部分側面図である。
【図２】本第１実施例の制御基板ケースの装着時の要部を示す部分上面図である。
【図３】本第１実施例の制御基板ケースの配置を示す遊技機の裏面を示す裏面図である。
【図４】本第１実施例の制御基板ケースの樹脂部材の収納部における矩形部材の間に仮係止部材が介挿された状態を示す部分斜視図である。
【図５】本第１実施例の制御基板ケースの樹脂部材の収納部における水平部の間に仮係止部材が介挿された状態を示す部分斜視図である。
【図６】本第１実施例の制御基板ケースの装着前の要部を示す部分側面図である。
【図７】本発明の第１実施例の制御基板ケースの装着時の要部を示す部分上面図である。
【図８】本第１実施例の制御基板ケースの開封時の要部を示す部分側面図である。
【図９】本第１実施例の制御基板ケースの開封時の要部を示す部分上面図である。
【図１０】本第１実施例の制御基板ケースにおける収納部の樹脂部材の初期設定時の配置を説明するための部分上面図である。
【図１１】本第１実施例の制御基板ケースにおける収納部の樹脂部材の再封止時の配置を説明するための部分上面図である。
【符号の説明】
【００４８】
１  制御基板ケース
２  樹脂部材
３  樹脂部材の収納部
【図１】
2008104749.tif 000003
【図２】
2008104749.tif 000004
【図３】
2008104749.tif 000005
【図４】
2008104749.tif 000006
【図５】
2008104749.tif 000007
【図６】
2008104749.tif 000008
【図７】
2008104749.tif 000009
【図８】
2008104749.tif 000010
【図９】
2008104749.tif 000011
【図１０】
2008104749.tif 000012
【図１１】
2008104749.tif 000013